(57)【要約】【課題】特定の紙葉類を区分けすることができる紙葉類処理システム、紙葉類処理装置、及び紙葉類処理方法を提供する。【解決手段】紙葉類処理装置（２０）とサーバ（３０）とを具備する紙葉類処理システム（１）であって、前記サーバは、紙葉類の識別情報と紙葉類に対する処理の処理結果とを対応付けて紙葉類情報として記憶し、紙葉類情報を前記紙葉類処理装置に送信する。前記紙葉類処理装置は、前記サーバから受信する紙葉類情報を記憶し、投入される紙葉類から画像を取得し、取得した画像に基づいて紙葉類の識別情報を取得する。紙葉類処理装置は、記憶した紙葉類情報を参照し、取得した識別情報に基づいて、前記紙葉類の判定を行い、判定結果に基づいて紙葉類を区分けして集積する。【選択図】      図１
2010040039.tif 000002
【特許請求の範囲】
【請求項１】
紙葉類処理装置とサーバとを具備する紙葉類処理システムであって、
前記サーバは、
紙葉類の識別情報と紙葉類に対する処理の処理結果とを対応付けて紙葉類情報として記憶する紙葉類情報記憶部と、
前記紙葉類情報記憶部に記憶される紙葉類情報を前記紙葉類処理装置に送信する第１の送信部と、
を具備し、
前記紙葉類処理装置は、
前記サーバから受信する紙葉類情報を記憶する記憶部と、
紙葉類が投入される投入部と、
前記投入部に投入される紙葉類を１枚ずつ取り出す取出部と、
前記取出部により取り出す紙葉類を搬送する搬送部と、
前記搬送部により搬送される紙葉類の画像を取得する画像取得部と、
前記画像取得部により取得した画像から識別情報を取得する識別情報認識部と、
前記記憶部により記憶される紙葉類情報を参照し、前記識別情報認識部により認識した識別情報に基づいて、前記紙葉類の判定を行う判定部と、
前記判定部による判定結果に基づいて紙葉類を区分けして集積する集積部と、
を具備することを特徴とする紙葉類処理システム。
【請求項２】
前記紙葉類処理装置は、前記判定部による処理結果を前記サーバに送信する第２の送信部をさらに具備し、
前記サーバは、前記紙葉類処理装置から受信する処理結果に基づいて前記紙葉類情報記憶部の紙葉類情報を更新する更新処理部をさらに具備することを特徴とする請求項１に記載の紙葉類処理システム。
【請求項３】
前記判定部は、前記記憶部により記憶される紙葉類情報において、前記識別情報認識部により認識した識別情報に偽券判定の履歴情報が対応付けられている場合、紙葉類を排除券と判定することを特徴とする請求項１に記載の紙葉類処理システム。
【請求項４】
前記判定部は、前記記憶部により記憶される紙葉類情報において、前記識別情報認識部により認識した識別情報に破棄処理済みを示す履歴情報が対応付けられている場合、紙葉類を排除券と判定することを特徴とする請求項１に記載の紙葉類処理システム。
【請求項５】
情報が入力される入力部をさらに具備し、
前記判定部は、前記識別情報認識部により認識した識別情報が前記入力部により入力される情報により指定される紙葉類情報に含まれる場合、紙葉類を損券と判定することを特徴とする請求項１に記載の紙葉類処理システム。
【請求項６】
前記判定部は、前記画像取得部により取得した画像に基づいて前記紙葉類の券種を認識し、前記識別情報認識部により認識した識別情報に対応付けられている券種情報と、前記認識した券種とが異なる場合、紙葉類を排除券と判定することを特徴とする請求項１に記載の紙葉類処理システム。
【請求項７】
外部から受信する紙葉類情報を記憶する記憶部と、
紙葉類が投入される投入部と、
前記投入部に投入される紙葉類を１枚ずつ取り出す取出部と、
前記取出部により取り出す紙葉類を搬送する搬送部と、
前記搬送部により搬送される紙葉類の画像を取得する画像取得部と、
前記画像取得部により取得した画像から識別情報を取得する識別情報認識部と、
前記記憶部により記憶される紙葉類情報を参照し、前記識別情報認識部により認識した識別情報に基づいて、前記紙葉類の判定を行う判定部と、
前記判定部による判定結果に基づいて紙葉類を区分けして集積する集積部と、
を具備することを特徴とする紙葉類処理装置。
【請求項８】
前記判定部は、前記記憶部により記憶される紙葉類情報において、前記識別情報認識部により認識した識別情報に偽券判定の履歴情報が対応付けられている場合、紙葉類を排除券と判定することを特徴とする請求項７に記載の紙葉類処理装置。
【請求項９】
前記判定部は、前記記憶部により記憶される紙葉類情報において、前記識別情報認識部により認識した識別情報に破棄処理済みを示す履歴情報が対応付けられている場合、紙葉類を排除券と判定することを特徴とする請求項７に記載の紙葉類処理装置。
【請求項１０】
情報が入力される入力部をさらに具備し、
前記判定部は、前記識別情報認識部により認識した識別情報が前記入力部により入力される情報により指定される紙葉類情報に含まれる場合、紙葉類を損券と判定することを特徴とする請求項７に記載の紙葉類処理装置。
【請求項１１】
前記判定部は、前記画像取得部により取得した画像に基づいて前記紙葉類の券種を認識し、前記識別情報認識部により認識した識別情報に対応付けられている券種情報と、前記認識した券種とが異なる場合、紙葉類を排除券と判定することを特徴とする請求項７に記載の紙葉類処理装置。
【請求項１２】
外部から受信する紙葉類情報を記憶し、
投入される紙葉類を１枚ずつ取り出し、
取り出す紙葉類を搬送し、
搬送される紙葉類の画像を取得し、
取得した画像から識別情報を取得し、
記憶されている紙葉類情報を参照し、前記取得した識別情報に基づいて、前記紙葉類の判定を行い、
前記判定の結果に基づいて紙葉類を区分けして集積する、
ことを特徴とする紙葉類処理方法。
【請求項１３】
紙葉類の判定を行う場合、前記記憶される紙葉類情報において、前記認識した識別情報に偽券判定の履歴情報が対応付けられている場合、紙葉類を排除券と判定することを特徴とする請求項１２に記載の紙葉類処理方法。
【請求項１４】
紙葉類の判定を行う場合、前記記憶される紙葉類情報において、前記認識した識別情報に破棄処理済みを示す履歴情報が対応付けられている場合、紙葉類を排除券と判定することを特徴とする請求項１２に記載の紙葉類処理方法。
【請求項１５】
紙葉類の判定を行う場合、前記認識した識別情報が入力される情報により指定される紙葉類情報に含まれる場合、紙葉類を損券と判定することを特徴とする請求項１２に記載の紙葉類処理方法。
【発明の詳細な説明】
【技術分野】
【０００１】
本発明は、紙葉類を処理する紙葉類処理システム、紙葉類処理装置、及び紙葉類処理方法に関する。
【背景技術】
【０００２】
従来、種々の紙葉類の計数及び判別を行う紙葉類処理装置が実用化されている。紙葉類処理装置は、投入部に投入された紙葉類を１枚ずつ取り込み、検査部に搬送する。検査部は、紙葉類から光を検出し、検出した光に基づいて画像を取得する。紙葉類処理装置は、取得した画像に基づいて、画像判定を行う。紙葉類処理装置は、画像判定の結果に基づいて、紙葉類が正券、損券、または排除権であるかを判定する。また、紙葉類処理装置は、判定結果に基づいて紙葉類を種類毎に区分して集積する。
【０００３】
紙葉類には、識別情報が印刷されている場合がある。例えば、日本国出願の特許文献である特開２００６−２９３４６４号公報に記載されている紙葉類処理装置は、紙葉類に印刷される識別情報を読み取り、読み取った識別情報に応じて画像判定に用いる基準値を変更する。
【先行技術文献】
【特許文献】
【０００４】
【特許文献１】特開２００６−２９３４６４号公報
【発明の概要】
【発明が解決しようとする課題】
【０００５】
上記した紙葉類処理装置は、損傷が大きい為再流通が困難であると判定した紙葉類を損券として裁断する。また、発行されてから所定年数経過した紙葉類を損券の対象にしたいという需要がある。しかし、上記した紙葉類処理装置は、外観に問題が無い場合、正券として処理する。この為、損券として処理したい紙葉類を適切に処理できないという問題がある。
【０００６】
また、例えば、ある識別情報の偽券が発見された場合、同一の識別番情報が印刷されている紙葉類を排除券の対象にしたいという需要がある。しかし、上記した紙葉類処理装置は、偽券の識別情報を確認することができない。この為、排除券として処理したい紙葉類を適切に処理できないという問題がある。
【０００７】
そこで、本発明は、特定の紙葉類を区分けすることができる紙葉類処理システム、紙葉類処理装置、及び紙葉類処理方法を提供する事を目的とする。
【課題を解決するための手段】
【０００８】
本発明の一実施形態としての紙葉類処理システムは、紙葉類処理装置とサーバとを具備する紙葉類処理システムであって、前記サーバは、紙葉類の識別情報と紙葉類に対する処理の処理結果とを対応付けて紙葉類情報として記憶する紙葉類情報記憶部と、前記紙葉類情報記憶部に記憶される紙葉類情報を前記紙葉類処理装置に送信する第１の送信部と、を具備し、前記紙葉類処理装置は、前記サーバから受信する紙葉類情報を記憶する記憶部と、紙葉類が投入される投入部と、前記投入部に投入される紙葉類を１枚ずつ取り出す取出部と、前記取出部により取り出す紙葉類を搬送する搬送部と、前記搬送部により搬送される紙葉類の画像を取得する画像取得部と、前記画像取得部により取得した画像から識別情報を取得する識別情報認識部と、前記記憶部により記憶される紙葉類情報を参照し、前記識別情報認識部により認識した識別情報に基づいて、前記紙葉類の判定を行う判定部と、前記判定部による判定結果に基づいて紙葉類を区分けして集積する集積部と、を具備する。
【０００９】
また、本発明の一実施形態としての紙葉類処理装置は、外部から受信する紙葉類情報を記憶する記憶部と、紙葉類が投入される投入部と、前記投入部に投入される紙葉類を１枚ずつ取り出す取出部と、前記取出部により取り出す紙葉類を搬送する搬送部と、前記搬送部により搬送される紙葉類の画像を取得する画像取得部と、前記画像取得部により取得した画像から識別情報を取得する識別情報認識部と、前記記憶部により記憶される紙葉類情報を参照し、前記識別情報認識部により認識した識別情報に基づいて、前記紙葉類の判定を行う判定部と、前記判定部による判定結果に基づいて紙葉類を区分けして集積する集積部と、を具備する。
【００１０】
また、本発明の一実施形態としての紙葉類処理方法は、外部から受信する紙葉類情報を記憶し、投入される紙葉類を１枚ずつ取り出し、取り出す紙葉類を搬送し、搬送される紙葉類の画像を取得し、取得した画像から識別情報を取得し、記憶されている紙葉類情報を参照し、前記取得した識別情報に基づいて、前記紙葉類の判定を行い、前記判定の結果に基づいて紙葉類を区分けして集積する。
【発明の効果】
【００１１】
この発明の一形態によれば、特定の紙葉類を区分けすることができる紙葉類処理システム、紙葉類処理装置、及び紙葉類処理方法を提供することができる。
【図面の簡単な説明】
【００１２】
【図１】図１は、一実施形態に係る紙葉類処理システムの構成例について説明するための説明図である。
【図２】図２は、図１に示す紙葉類処理装置の外観の一例について説明するための説明図である。
【図３】図３は、図１に示す紙葉類処理装置の構成例について説明するための説明図である。
【図４】図４は、図１に示す紙葉類処理装置の制御系の構成例について説明するためのブロック図である。
【図５】図５は、処理履歴情報の一例について説明するための説明図である。
【図６】図６は、図１に示す紙葉類処理装置の動作について説明するためのフローチャートである。
【発明を実施するための形態】
【００１３】
以下、図面を参照しながら、本発明の一実施形態に係る紙葉類処理システム、紙葉類処理装置、及び紙葉類処理方法について詳細に説明する。
【００１４】
図１は、一実施形態に係る紙葉類処理システムの構成例について説明するための説明図である。  
図１に示すように、紙葉類処理システム１は、主制御装置１０、紙葉類処理装置２０、及びデータベースサーバ３０を備える。主制御装置１０とデータベースサーバとは、ネットワーク２１０を介して互いに接続される。また、主制御装置１０と紙葉類処理装置２０とは、例えばＬＡＮなどを介して互いに接続される。
【００１５】
本実施形態の紙葉類処理システム１は、複数の主制御装置１０Ａ、１０Ｂ、及び１０Ｃを備えている。主制御装置１０Ａ、１０Ｂ、及び１０Ｃそれぞれ同じ構成であるので、主制御装置１０として説明する。
【００１６】
データベースサーバ３０は、紙葉類処理装置２０による紙葉類の処理結果を集計する。データベースサーバ３０は、紙葉類の識別情報をインデックスとして紙葉類の処理履歴情報（紙葉類情報）を生成し、記憶する。また、データベースサーバ３０は、ネットワーク２１０を介して接続される主制御装置１０に、記憶した処理履歴情報を配信する。
【００１７】
この配信処理は、例えば、夜間などの紙葉類処理装置２０及び主制御装置１０が運用されていない時間帯に行われる。これにより、ネットワークの混雑を避けることができる。
【００１８】
主制御装置１０は、紙葉類の処理履歴情報をデータベースサーバ３０から受信する。また、主制御装置１０には、１つまたは複数の紙葉類処理装置２０が接続される。複数の紙葉類処理２０Ａ、２０Ｂ、及び２０Ｃは、それぞれ同じ構成であるので、紙葉類処理装置２０として説明する。
【００１９】
主制御装置１０は、データベースサーバ３０から受信した処理履歴情報を紙葉類処理装置２０に送信する。これにより、データベースサーバ３０、主制御装置１０、及び紙葉類処理装置２０は、同様の処理履歴情報を共有することができる。
【００２０】
紙葉類処理装置２０は、紙葉類を１枚ずつ取り込み、画像判定、厚さ判定などの処理を行う。また、紙葉類処理装置２０は、紙葉類から取得した画像から紙葉類に印刷されている識別情報を取得する。紙葉類処理装置２０は、識別情報と処理結果とに基づいて処理履歴情報を追記する。紙葉類処理装置２０は、追記した処理結果情報を主制御装置１０に送信する。主制御装置１０は、各紙葉類処理装置２０から受信する処理履歴情報をデータベースサーバ３０に送信する。
【００２１】
データベースサーバ３０は、各主制御装置１０から受信する処理履歴情報をまとめ、自身が記憶する処理履歴情報を更新する。
【００２２】
図２は、図１に示す紙葉類処理装置の外観の一例について説明するための説明図である。  
図２に示すように、紙葉類処理装置２０は、装置外部に、投入部２１２、操作部２３６、操作表示部２３７、ドア２３８、取出口２３９、及びキーボード２４０を備えている。
【００２３】
投入部２１２は、紙葉類を投入するための構成である。投入部２１２は、重ねられた状態の紙葉類をまとめて受け入れる。操作部２３６は、オペレータによる各種操作入力を受け付ける。操作表示部２３７は、オペレータに対して各種の操作案内、及び処理結果などを表示する。なお、操作表示部２３７は、タッチパネルとして構成されていてもよい。この場合、紙葉類処理装置２０は、操作表示部２３７に表示されるボタンと、操作表示部２３７に対するオペレータによる操作と、に基づいて、各種の操作入力を検知する。
【００２４】
ドア２３８は、投入部２１２の投入口を開閉する為のドアである。取出口２３９は、紙葉類処理装置２０により再流通不可と判断された紙葉類がスタックされる集積部から紙葉類を取り出す為の構成である。キーボード２４０は、オペレータによる各種操作入力を受け付ける入力部として機能する。
【００２５】
図３は、図１に示す紙葉類処理装置の構成例について説明するための説明図である。  
紙葉類処理装置２０は、装置内部に、投入部２１２、取出部２１３、吸着ローラ２１４、搬送路２１５、検査部２１６、ゲート２２０乃至２２５、排除搬送路２２６、排除集積部２２７、集積・結束部２２８乃至２３１、裁断部２３３、及びスタッカ２３４を備える。また、紙葉類処理装置２０は、制御部２５１を備える。制御部２５１は、紙葉類処理装置２０の各部の動作を統合的に制御する。
【００２６】
取出部２１３は、投入部の上部に設けられる。取出部２１３は、吸着ローラ２１４を備えている。吸着ローラ２１４は、投入部２１２にセットされた紙葉類を集積方向の上端に接するように設けられている。即ち、吸着ローラ２１４は、回転することにより、投入部２１２にセットされた紙葉類を集積方向の上端から１枚ずつ装置内部に取り込む。吸着ローラ２１４は、たとえば、１回転するごとに１枚の紙葉類を取出すように機能する。これにより、吸着ローラ２１４は、紙葉類一定のピッチで取出す。吸着ローラ２１４により取り込まれた紙葉類は、搬送路２１５に導入される。
【００２７】
搬送路２１５は、紙葉類を紙葉類処理装置２０内の各部に搬送する搬送手段である。搬送路２１５は、図示しない搬送ベルト及び駆動プーリなどを備えている。搬送路２１５は、図示しない駆動モータにより搬送ベルトを動作させる。搬送路２１５は、吸着ローラ２１４により取り込まれた紙葉類を搬送ベルトにより一定速度で搬送する。なお、搬送路２１５における取出部２１３に近い側を上流側、スタッカ２３４に近い側を下流側として説明する。
【００２８】
取出部２１３から延びた搬送路２１５上には、検査部２１６が設けられている。検査部２１６は、画像読取装置２１７、画像読取装置２１８、及び厚み検査部２１９を備えている。検査部２１６は、紙葉類の光学的特徴情報、及び磁気的特長情報を検出する。これにより、紙葉類処理装置２０は、紙葉類の種類、汚棄損、表裏、及び真偽などを検査する。
【００２９】
画像読取装置２１７、及び２１８は、それぞれ搬送路２１５を挟んで対面するように設けられている。画像読取装置２１７、及び２１８は、搬送路２１５を搬送される紙葉類の両面の画像を読み取る。画像読取装置２１７、及び２１８は、それぞれ、ＣＣＤカメラを備える。紙葉類処理装置２０は、画像読取装置２１７、及び２１８により撮像した画像に基づいて、紙葉類の表面及び裏面の模様画像を取得する。制御部２５１は、取得した画像に基づいて、画像判定を行い、紙葉類が正券、損券、または排除権であるかを判定する。
【００３０】
正券は、真券であり、且つ、再流通が可能な紙葉類である。紙葉類処理装置２０は、正券を集積・結束部２２８乃至２３１に搬送する。
【００３１】
損券は、真券であり、且つ、再流通が不可能な紙葉類である。紙葉類処理装置２０は、損券を裁断部２３３に搬送する。裁断部２３３は、搬送される損券を裁断する。なお、紙葉類処理装置２０は、損券をスタッカ２３４に搬送し集積してもよい。スタッカ２３４は、集積した損券が例えば１００枚に到達するごとに施封を行う。
【００３２】
排除券は、正券及び損券に該当しない紙葉類である。紙葉類処理装置２０は、排除券を排除集積部２２７に搬送する。排除券は、例えば、２枚取り券などの搬送異常券、折れ・破れなどの不良券、及び適用外券種・偽券などの判別不能券を含む。
【００３３】
画像読取装置２１７、及び２１８は、読み取った画像を検査部２１６内の図示しないメモリに一時的に記憶する。紙葉類処理装置２０は、このメモリに記憶されている画像を操作入力に応じて操作表示部２３７に表示する。
【００３４】
厚み検査部２１９は、搬送路２１５を搬送される紙葉類の厚みを検査する。例えば、検出した厚みが規定値以上である場合、紙葉類処理装置２０は、紙葉類の２枚取りを検出する。
【００３５】
また、検査部２１６は、図示しない磁気センサなどを備えている。磁気センサは、紙葉類の磁気的な特徴情報を検出する。
【００３６】
検査部２１６の下流側の搬送路２１５上には、ゲート２２０乃至２２５が順に配設されている。ゲート２２０乃至２２５は、それぞれ、制御部２５１により制御される。制御部２５１は、検査部２１６による検査の結果に基づいて各ゲート２２０乃至２２５の動作を制御する。これにより、制御部２５１は、搬送路２１５を搬送されている紙葉類を所定の処理部に搬送するように制御する。
【００３７】
検査部２１６の直後に配設されたゲート２２０は、搬送路２１５を排除搬送路２２６に分岐する。即ち、ゲート２２０は、検査部２１６による検査の結果、真券ではないと判定された排除券、または、検査部２１６による検査を行うことができない検査不能券等を排除搬送路２２６に搬送するように切り替えられる。
【００３８】
排除搬送路２２６の終端部には、排除集積部（排除部）２２７が設けられている。排除集積部２２７は、取出部２１３にて取出した姿勢のまま、上記したような排除券、及び検査不能券を集積する。排除集積部２２７に集積された紙葉類は、取出口２３９から取り出すことができる。
【００３９】
また、ゲート２２１乃至２２４により分岐される先には、集積・結束部２２８乃至２３１（総じて集積結束部２３２と称する）がそれぞれ設けられている。集積・結束部２３２には、再流通可能であると判定された紙葉類が種類及び表裏毎に区別されて集積される。集積・結束部２３２は、集積した紙葉類を所定枚数毎に結束して格納する。また、紙葉類処理装置２０は、図示しない大束結束部により、所定枚数毎で結束した紙葉類を複数集積し、結束する。
【００４０】
ゲート２２５により分岐される先には、裁断部２３３が配設されている。裁断部２３３は、紙葉類を裁断して収納する。ゲート２２５に搬送される紙葉類は、正規の紙葉類であり、且つ、再流通が不可能であると判定された紙葉類（損券）である。
【００４１】
また、ゲート２２５により分岐される他方の搬送路の先には、スタッカ２３４が配設されている。制御部２５１は、損券裁断モードが選択されている場合、紙葉類を裁断部２３３に搬送するようにゲート２２５を制御する。また、制御部２５１は、損券裁断モードが選択されていない場合、紙葉類をスタッカ２３４に搬送するようにゲート２２５を制御する。
【００４２】
なお、制御部２５１は、集積・結束部２３２に集積された紙葉類の枚数、及び、裁断部２３３により裁断された紙葉類の枚数及び識別情報を逐次記憶する。
【００４３】
図４は、図１及び図２に示す紙葉類処理装置２０の制御系の構成例について説明するためのブロック図である。  
紙葉類処理装置２０は、制御部２５１、検査部２１６、通信部２５０、搬送制御部２５２、集積・結束制御部２５３、裁断制御部２５６、操作表示部２３７、及びキーボード２４０などを備える。
【００４４】
制御部２５１は、紙葉類処理装置２０の全体的な制御を司る。制御部２５１は、操作表示部２３７により入力される操作、及び検査部２１６による検査結果に基づき、搬送制御部２５２及び集積・結束制御部２５３を制御する。
【００４５】
例えば、操作員は、操作表示部２３７またはキーボード２４０により、処理する紙葉類の券種、枚数、正損判別レベル、供給元の名称、及び処理方法などを入力する。
【００４６】
検査部２１６は、画像読取装置２１７、及び２１８、厚み検査部２１９、その他のセンサ類２５４、及びＣＰＵ２５５を備える。
【００４７】
画像読取装置２１７、及び２１８は、搬送路２１５を搬送される紙葉類の両面の画像を読み取る。画像読取装置２１７、及び２１８は、例えばＣｈａｒｇｅ  Ｃｏｕｐｌｅｄ  Ｄｅｖｉｃｅ（ＣＣＤ）などの受光素子と光学系とを備える。画像読取装置２１７、及び２１８は、搬送される紙葉類に対して光を投光し、反射光または透過光を光学系により受光する。画像読取装置２１７、及び２１８は、光学系により受光した光をＣＣＤに結像させ、電気信号（画像）を取得する。
【００４８】
制御部２５１は、紙葉類の基準となる画像（基準画像）を記憶部２６０に予め記憶する。制御部２５１は、紙葉類から取得した画像と、記憶部２６０に記憶される基準画像とを比較することにより、静養類の正損判定及び偽券判定を行う。
【００４９】
厚み検査部２１９は、搬送路２１５を搬送される紙葉類の厚みを検査する。その他のセンサ類２５４は、例えば、磁気センサなどである。磁気センサは、搬送路２１５を搬送される紙葉類から磁気的な特徴情報を検出する。
【００５０】
ＣＰＵ２５５は、画像読取装置２１７、２１８、厚み検査部２１９、及びその他のセンサ類２５４などによる検査の結果に基づいて、搬送路２１５を搬送される紙葉類の種類、汚棄損、表裏、及び真偽などを判別する。
【００５１】
搬送制御部２５２は、制御部２５１の制御に基づき、取出部２１３、搬送路２１５、排除搬送路２２６、及びゲート２２０乃至２２５を制御する。これにより、搬送制御部２５２は、紙葉類の取り込み及び搬送を制御する。また、搬送制御部２５２は、判定した紙葉類の種類毎に区分する区分処理を行う。即ち、搬送制御部２５２は、区分処理部として機能する。
【００５２】
集積・結束制御部２５３は、制御部２５１の制御に基づき、前記排除集積部２２７及び集積・結束部２２８〜２３１を制御する。これにより、集積・結束制御部２５３は、紙葉類の集積、及び結束の制御を行なう。
【００５３】
裁断制御部２５６は、制御部２５１の制御に基づき、裁断部２３３の動作を制御する。これにより、裁断部２３３は、搬送される紙葉類の裁断を行う。
【００５４】
通信部２５０は、主制御装置１０とデータの送受信を行うインターフェースである。紙葉類処理装置２０は、主制御装置１０から通信部２５０により処理履歴情報を受け取る。紙葉類処理装置２０の制御部２５１は、記憶部２６０を備える。制御部２５１は、主制御装置１０から受信する処理履歴情報を記憶部２６０に格納する。
【００５５】
また、制御部２５１は、偽券判定部２６１、損券判定部２６２、及び突合部２６３を備える。  
偽券判定部２６１は、処理する紙葉類が偽券であるか否かを判定する。損券判定部２６２は、処理する紙葉類が損券であるか否かを判定する。また、突合部２６３は、紙葉類の処理結果と記憶部２６０に格納される処理履歴情報とを突合し、既に裁断処理済みの紙葉類が処理結果に含まれているか否かを判定する。
【００５６】
図５は、処理履歴情報の一例について説明するための説明図である。  
処理履歴情報は、例えば、「識別情報」、「処理年月日」、「券種」、「場所」、及び「処理結果」などの情報を含む。処理履歴情報は、識別情報をインデックスとして他の情報が対応付けられて記憶される。さらに、処理履歴情報は、損券処理すべきか否かを示す情報を有する。
【００５７】
「識別情報」は、紙葉類が発行される場合に紙葉類の表面に印刷される情報である。識別情報は、固有の情報であり、重複しない。紙葉類処理装置２０の制御部２５１は、画像読取装置２１７及び２１８により取得する紙葉類の画像に基づいて、紙葉類に印刷される識別情報を認識する。即ち、制御部２５１、画像読取装置２１７、及び２１８は、識別情報認識部として機能する。
【００５８】
「処理年月日」は、対応付けられている識別情報の紙葉類を紙葉類処理装置２０により処理した年月日を示す情報である。「券種」は、紙葉類の種別を示す情報である。紙葉類処理装置２０の制御部２５１は、紙葉類から画像を取得し、基準画像と比較することにより、紙葉類の券種を特定する。即ち、制御部２５１は、判定部として機能する。
【００５９】
「場所」は、対応付けられている識別情報の紙葉類を処理した紙葉類処理装置２０が設置される場所、または、紙葉類処理装置２０の識別情報を示す情報である。
【００６０】
「処理結果」は、対応付けられている識別情報の紙葉類に対して行った、例えば、真偽判定、及び正損判定の結果を示す情報である。
【００６１】
処理履歴情報は、処理結果として、廃棄処理を行ったか否かを示す情報を含む。上記したように、紙葉類処理装置２０は、紙葉類を損券であると判定した場合、紙葉類に対して裁断処理を行う。この場合、制御部２５１は、裁断処理を行った紙葉類の識別情報に「裁断処理」を実行した事を示す情報を付加する。
【００６２】
例えば、識別情報に廃棄処理済を示す情報が対応付けられる場合、制御部２５１は、この識別情報が付加される紙葉類は流通していない紙葉類であると認識することができる。制御部２５１の突合部２６３は、紙葉類から読み取った識別情報を処理履歴情報から抽出し、流通している紙葉類であるか否かを判定する。流通していない紙葉類であると判定した場合、制御部２５１は、紙葉類を排除券として処理する。これにより、偽券である可能性が高い紙葉類を選出することができる。
【００６３】
また、処理履歴情報は、処理結果として、紙葉類の真偽の判定結果を示す情報を含む。上記したように、紙葉類処理装置２０は、紙葉類を偽券であると判定した場合、紙葉類を排除集積部２２７に集積する。この場合、制御部２５１は、偽券であると判定した紙葉類の識別情報に「偽券」であると判定した事を示す情報を付加する。
【００６４】
例えば、識別情報に偽券を示す情報が対応付けられる場合、制御部２５１は、この識別情報が付加される紙葉類が偽券として処理した履歴が有ることを認識することができる。制御部２５１の偽券判定部２６１は、紙葉類から読み取った識別情報を処理履歴情報から抽出し、偽券として処理した履歴の有無を判定する。偽券として処理した履歴が有る紙葉類を読み取った場合、制御部２５１は、紙葉類を排除券として処理する。これにより、偽券である可能性が高い紙葉類を選出することができる。
【００６５】
またさらに、偽券判定部２６１は、紙葉類から読み取った識別情報を処理履歴情報から抽出することができない場合、即ち、紙葉類から読み取った識別情報が処理履歴情報に存在しない場合、紙葉類を偽券と判定する。即ち、偽券判定部２６１は、発行された履歴のない紙葉類を偽券として判定する。
【００６６】
また、例えば、キーボード２４０、または操作表示部２３７により情報を入力する事により、損券として処理すべき紙葉類の識別情報を指定することができる。紙葉類処理装置２０の制御部２５１は、入力される識別情報に基づいて、処理履歴情報を追記する。制御部２５１は、記憶部２６０から入力される識別情報を検索し、損券として処理すべき紙葉類であることを示す情報を付加する。
【００６７】
制御部２５１は、紙葉類から識別情報を読み取る場合、読み取った識別情報を記憶部２６０の処理履歴情報から検索する。制御部２５１の損券判定部２６２は、検索した識別情報に、損券として処理すべき紙葉類であることを示す情報が付加されているか否か判定する。損券として処理すべき紙葉類であることを示す情報が付加されている場合、制御部２５１は、この紙葉類を損券として処理する。
【００６８】
例えば、キーボード２４０、または操作表示部２３７は、発行後Ｘ年以上経過した紙葉類を損券として処理すべき紙葉類として指定することができる。このように指定する場合、紙葉類処理装置２０は、発行後Ｘ年以上経過した紙葉類を損券として処理することができる。なお、指定する場合、日付で指定してもよいし、識別情報により指定してもよい。
【００６９】
日付により指定する場合、制御部２５１は、入力される日付以前に発行された紙葉類の識別情報を履歴情報から抽出する。識別情報により指定する場合、制御部２５１は、入力される識別情報を処理履歴情報から抽出する。なお、識別情報は、例えばＸ年発行乃至Ｚ年発行のように、範囲で指定してもよい。
【００７０】
制御部２５１は、紙葉類の処理結果を記憶し、処理結果に基づいて記憶部２６０に記憶される処理履歴情報を追記する。制御部２５１は、追記した処理履歴情報を通信部２５０により主制御装置１０に送信する。
【００７１】
主制御装置１０は、接続されている複数の紙葉類処理装置２０から処理履歴情報を受信し、データベースサーバ３０に送信する。
【００７２】
データベースサーバ３０は、各主制御装置１０から送信される処理履歴情報を集計する。即ち、データベースサーバ３０は、受信する処理履歴情報を紙葉類の識別情報をインデックスとして認識し、自身が記憶する処理履歴情報を最新の情報に書き換える。即ち、データベースサーバ３０は、処理履歴情報を更新する更新処理部として機能する。
【００７３】
データベースサーバ３０は、送信部として機能する。データベースサーバ３０は、集計して更新した処理履歴情報をネットワーク２１０を介して接続される複数の主制御装置１０に配信する。主制御装置１０は、紙葉類の処理履歴情報をデータベースサーバ３０から受信し、接続される複数の紙葉類処理装置２０に送信する。これにより、主制御装置１０、紙葉類処理装置２０、及びデータベースサーバ３０において記憶される処理履歴情報が同期する。
【００７４】
上記したように、紙葉類処理装置２０は、発行から所定年数経過した紙葉類、または、画像判定の結果、汚損度が大きいと判定した紙葉類を損券と判定する。この場合の一例を以下に示す。
【００７５】
識別情報：Ａ１２３４５６７８９０
券種    ：１
真偽    ：偽券
正損    ：正券
損券処理：損券
破棄処理：流通
場所    ：東京
上記の識別情報を紙葉類から読み取った場合、紙葉類処理装置２０は、損券として処理する。即ち、紙葉類処理装置２０は、「損券処理」の情報を参照し、「損券」として処理すべき紙葉類であることを認識する。
【００７６】
紙葉類処理装置２０は、汚損度が少なく、且つ、発行から所定年数経過した紙葉類であることを認識する。発行から年数が経過する場合、同じ種類の紙葉類であっても、セキュリティ要素が異なる場合がある。このような場合、古い紙葉類を損券として処理することが望まれる。本実施形態に係る紙葉類処理装置２０は、このような紙葉類を特定して選出する事ができる。
【００７７】
また、上記したように、紙葉類処理装置２０は、過去に偽券と判定したことがある紙葉類、または、画像判定の結果、差異が大きいと判定した紙葉類を偽券と判定する。この場合の一例を以下に示す。
【００７８】
発行番号：Ｂ１２３４５６７８９０
券種    ：１
真偽    ：偽券
正損    ：正券
損券処理：損券
破棄処理：流通
場所    ：東京
上記の識別情報を紙葉類から読み取った場合、紙葉類処理装置２０は、偽券として処理する。即ち、紙葉類処理装置２０は、「真偽」の情報を参照し、「偽券」として処理した履歴がある紙葉類であることを認識する。
【００７９】
このように、紙葉類処理装置２０に偽券の検出履歴を入力することにより、過去に偽券と判定された紙葉類と同じ識別情報を持つ紙葉類を特定して選出することができる。
【００８０】
また、上記したように、紙葉類処理装置２０は、過去に裁断処理を行った紙葉類と同じ識別情報を読み取った場合、偽券と判定する。この場合の一例を以下に示す。
【００８１】
発行番号：Ａ１２３４５６７８９０
券種    ：１
真偽    ：真券
正損    ：正券
損券処理：損券
破棄処理：裁断処理
場所    ：東京
上記の識別情報を紙葉類から読み取った場合、紙葉類処理装置２０は、偽券として処理する。即ち、紙葉類処理装置２０は、「破棄処理」の情報を参照し、「裁断処理」として処理した履歴がある紙葉類であることを認識する。
【００８２】
このように、紙葉類処理装置２０に破棄処理済の紙葉類の識別情報を入力することにより、過去に裁断処理が行われた紙葉類と同じ識別情報を持つ紙葉類を特定して選出することができる。
【００８３】
図５に示す例よると、識別情報「Ａ１２３４５６７８９０」を持つ紙葉類は、２０００年１月１０日に、場所「東京」に設置される装置Ａ１により発行されたことが示されている。発行装置は、データベースサーバ３０に発行した紙葉類の識別情報、及び図５に示す他の情報を登録する。
【００８４】
次に、識別情報「Ａ１２３４５６７８９０」を持つ紙葉類が２００３年１月１０に、場所「大阪」に設置される装置Ａ１０によって処理されたことが示されている。ここで、識別情報「Ａ１２３４５６７８９０」を持つ紙葉類が真券であり、正券である事が判定されている。即ち、識別情報「Ａ１２３４５６７８９０」を持つ紙葉類は、再流通されている。
【００８５】
次に、識別情報「Ａ１２３４５６７８９０」を持つ紙葉類は、２００６年１月１０日に場所「名古屋」に設置されている装置Ａ２０によって処理された事が示されている。ここで、識別情報「Ａ１２３４５６７８９０」を持つ紙葉類が真券であり、損券である事が判定されている。即ち、識別情報「Ａ１２３４５６７８９０」を持つ紙葉類は、裁断されて廃棄処理されている。
【００８６】
次に、識別情報「Ａ１２３４５６７８９０」を持つ紙葉類は、２００８年１月１０日に場所「大分」に設置されている装置Ａ３０によって処理された事が示されている。ここで、装置３０Ａは、識別情報「Ａ１２３４５６７８９０」を持つ紙葉類が偽券であると判定した。即ち、装置３０Ａは、識別情報「Ａ１２３４５６７８９０」を持つ紙葉類が過去に裁断処理されていることを検知し、偽券と判定した。
【００８７】
図６は、紙葉類処理装置２０の動作について説明するためのフローチャートである。  
なお、予めデータベースサーバ３０において処理履歴情報が更新され、主制御装置１０を介して紙葉類処理装置２０に最新の処理履歴情報が記憶されていると仮定して説明する。
【００８８】
紙葉類処理装置２０は、取出部２１３に投入される紙葉類を１枚ずつ取り込み、搬送する。画像読取装置２１７、及び２１８は、搬送される紙葉類から画像を取得する（ステップＳ１１）。ＣＰＵ２５５は、画像読取装置２１７、及び２１８により読み取った画像から識別情報を取得し（ステップＳ１２）、制御部２５１に送信する。
【００８９】
制御部２５１は、受信する識別情報と記憶部２６０により記憶される処理履歴情報を参照し、判定を行う。
【００９０】
まず、制御部２５１は、受信した識別情報に偽券判定の履歴が存在するか否か判定する（ステップＳ１３）。また、制御部２５１は、受信した識別情報に裁断処理の履歴が存在するか否か判定する（ステップＳ１４）。
【００９１】
受信した識別情報に偽券判定の履歴が存在する場合（ステップＳ１３、ＹＥＳ）、または裁断処理の履歴が存在する場合（ステップＳ１４、ＹＥＳ）、制御部２５１は、紙葉類を排除券と判定する。即ち、制御部２５１は、偽券である可能性の高い紙葉類であると判定する。
【００９２】
制御部２５１は、搬送制御部２５２により排除券と判定した紙葉類を排除集積部２２７に搬送するように制御する（ステップＳ１６）。
【００９３】
また、制御部２５１は、受信した識別情報の紙葉類が損券として指定されているか否か判定する（ステップＳ１７）。即ち、制御部２５１は、受信した識別情報に損券として処理するべきことを示す情報が付加されているか否か判定する。
【００９４】
さらに、制御部２５１は、画像読取装置２１７、及び２１８により取得した紙葉類の画像に基づいて正損の判定を行う（ステップＳ１８）。即ち、制御部２５１は、記憶部２６０に記憶される基準画像と取得した画像とを比較し、差異のレベルに基づいて紙葉類が再流通可能な紙葉類であるか否かを判定する。
【００９５】
受信した識別情報の紙葉類が損券として指定されている場合（ステップＳ１７、ＹＥＳ）、または、再流通が不可能であると判定した場合（ステップＳ１８、ＮＯ）、制御部２５１は、紙葉類を損券と判定する。即ち、制御部２５１は、再度流通されるのに適さない紙葉類であると判定する（ステップＳ１９）。
【００９６】
さらに、制御部２５１は、搬送制御部２５２により損券と判定した紙葉類をスタッカ２３４または裁断部２３３に搬送するように制御する（ステップＳ２０）。
【００９７】
また、ステップＳ１８において、再流通が可能な紙葉類であると判定した場合（ステップＳ１８、ＹＥＳ）、制御部２５１は、紙葉類を正券と判定する（ステップＳ２１）。
【００９８】
紙葉類を搬送すると、制御部２５１は、搬送した紙葉類に対して行った処理の内容を記憶部２６０に記憶する（ステップＳ２２）。即ち、制御部２５１は、処理した紙葉類の識別情報に処理結果を対応付け、処理履歴情報に追加する。
【００９９】
上記したように、本実施形態に係る紙葉類処理システム１は、紙葉類の発行時、及び処理時に紙葉類の識別情報と処理結果とを対応付けて記憶する。これにより、紙葉類処理装置２０は、偽券として判定した履歴のある識別情報が付加されている紙葉類を排除券として処理することができる。また、紙葉類処理装置２０は、発行から所定期間経過した紙葉類を画像判定の結果によらず損券として処理することができる。またさらに、紙葉類処理装置２０は、過去に損券として破棄した識別情報が付加されている紙葉類を偽券の可能性が高い排除券として処理することができる。
【０１００】
この結果、特定の紙葉類を区分けすることができる紙葉類処理システム、紙葉類処理装置、及び紙葉類処理方法を提供することができる。
【０１０１】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【０１０２】
上記した実施形態では、紙葉類に吹かされる識別情報は、番号及び記号により構成されるとして説明したが、これに限定されない。識別情報は、番号のみ、または記号のみであってもよい。また、例えば、識別情報は、バーコードまたは二次元コードなどであってもよい。
【０１０３】
また、上記した実施形態では、紙葉類処理装置２０により紙葉類が既に裁断処理された紙葉類であるか否かを判定する構成として説明したが、これに限定されない。紙葉類処理装置２０が識別情報と処理結果とを主制御装置１０に送信し、主制御装置１０が受信した識別情報の紙葉類が過去に破棄処理された紙葉類であるか否かを判定する構成であってもよい。
【０１０４】
また、上記した実施形態は、一般的な紙葉類処理装置として説明したが、本発明は種々の装置に適用することができる。例えば、自動預け払い機、各種の自動販売機、または帳票処理機など、紙葉類から画像を取得し、紙葉類に印刷されている識別情報を認識することができる構成と、紙葉類の処理履歴情報を記憶するための記憶部とを備えるものであれば、如何なるものであっても本発明を適用することができる。
【０１０５】
また、さらに判定を加えてもよい。制御部２５１は、画像読取装置２１７及び２１８により取得した画像に基づいて紙葉類の券種を判別する。制御部２５１は、処理履歴情報を参照し、読み取った紙葉類の識別情報に対応付けられている券種情報を参照する。例えば、制御部２５１は、取得した画像に基づいて判別した紙葉類の券種と、参照した券種情報とが異なる場合、紙葉類を排除券として処理するように制御する。
【０１０６】
また、上記した実施形態の紙葉類処理装置２０は、取得する識別情報を記憶する処理履歴情報から検索し、履歴情報を取得する構成として説明したが、この構成に限定されない。例えば、紙葉類処理装置２０は、選出して処理すべき紙葉類の識別情報を、読み出し速度の速いＲＡＭなどに予めする構成であってもよい。この場合、紙葉類処理装置２０は、画像から取得した情報と一致する識別情報が上記ＲＡＭに記憶されている場合、損券、または排除券として処理する。
【０１０７】
即ち、この場合、紙葉類処理装置２０は、予め処理履歴情報を読み出し、偽券判定が行われた紙葉類の識別情報をＲＡＭに記憶する。
【０１０８】
また、紙葉類処理装置２０は、キーボード２４０、または操作表示部２３７により入力される情報に基づいて処理履歴情報を検索する。紙葉類処理装置２０は、キーボード２４０、または操作表示部２３７により入力される日付の範囲内に発行された紙葉類の識別情報を抽出し、ＲＡＭに記憶する。例えば、２０００年１月１０日―２００４年１月１０日と入力された場合、紙葉類処理装置２０は、発行日が２０００年１月１０日―２００４年１月１０日の範囲内である紙葉類の識別情報を処理履歴情報から予め読み出し、ＲＡＭに記憶する。
【０１０９】
上記した構成により、紙葉類処理装置２０は、偽券判定及び損券判定を高速に行うことができる。
【符号の説明】
【０１１０】
１…紙葉類処理システム、１０…主制御装置、２０…紙葉類処理装置、３０…データベースサーバ、２１０…ネットワーク、２１２…投入部、２１３…取出部、２１４…吸着ローラ、２１５…搬送路、２１６…検査部、２１７…画像読取装置、２１８…画像読取装置、２１９…厚み検査部、２２０乃至２２５…ゲート、２２６…排除搬送路、２２７…排除集積部、２２８…集積・結束部、２２８乃至２３２…集積・結束部、２３３…裁断部、２３４…スタッカ、２３６…操作部、２３７…操作表示部、２４０…キーボード、２５０…通信部、２５１…制御部、２５２…搬送制御部、２５３…集積・結束制御部、２５５…ＣＰＵ、２５６…裁断制御部、２６０…記憶部、２６１…偽券判定部、２６２…損券判定部、２６３…突合部。
【図１】
2010040039.tif 000003
【図２】
2010040039.tif 000004
【図３】
2010040039.tif 000005
【図４】
2010040039.tif 000006
【図５】
2010040039.tif 000007
【図６】
2010040039.tif 000008